(57)【要約】【課題】本体側固定部材に対する発光ユニットの「浮き」をより簡易に防止することが可能な撮像装置を提供する。【解決手段】撮像装置のフラッシュ機構は、収容位置と発光位置との間を昇降移動する発光ユニットと、当該発光ユニットを発光位置に向けて付勢するポップアップバネと、当該発光ユニット内に設けられるスライド部材２８と、スライド部材２８を係止するフック部３２ｃとを備える。発光ユニット２１が収容位置に存在する状態においては、フック部３２ｃは、係止位置に固定的に保持され、スライド部材２８の斜行部２８ｈを係止して、ポップアップバネの付勢力に抗して発光ユニット２１の位置変動を抑止する。また、フック部３２ｃは、スライド部材２８に付与される別の付勢力に応じた反力を斜行部２８ｈに向けて作用させ、本体側固定部材へ向かう力を斜行部２８ｈに付与する。【選択図】図２１
2010266590.tif 000002
【特許請求の範囲】
【請求項１】
撮像装置であって、
本体側固定部材上の収容位置と前記本体側固定部材から離間した発光位置との間を昇降移動する発光ユニットと、
前記発光ユニットを前記発光位置に向けて付勢する第１付勢手段と、
前記発光ユニット内に設けられ前記発光ユニットの昇降移動動作に伴って昇降移動する被係止部材と、
前記発光ユニットが前記収容位置に存在する状態において前記被係止部材を係止し、前記第１付勢手段による第１付勢力に抗して前記発光ユニットの位置変動を抑止する係止部材と、
を備え、
前記係止部材は、前記被係止部材を係止する係止位置と前記被係止部材の係止を解除する係止解除位置との間で移動可能に設けられ、
前記被係止部材は、第２付勢手段による第２付勢力が付与された状態で、前記発光ユニット内において前記発光ユニットに対して所定方向に移動可能に設けられ、
前記発光ユニットが前記収容位置に存在する状態においては、前記係止部材は、前記係止位置に固定的に保持され、前記被係止部材に設けられた斜行部を係止して、前記第１付勢力に抗して前記発光ユニットの位置変動を抑止するとともに、前記第２付勢力に応じた反力を前記斜行部に向けて作用させ、前記本体側固定部材へ向かう力を前記斜行部に付与する、撮像装置。
【請求項２】
請求項１に記載の撮像装置において、
前記発光ユニットが前記収容位置へと移動する際において、前記斜行部は、前記係止位置で固定的に保持された前記係止部材の係止面の下側に配置され、前記第２付勢力に応じて前記所定方向にスライド移動するとともに前記係止部材に接触しつつ下方にも移動することにより、前記発光ユニットと前記本体側固定部材とを所定位置において接触させる、撮像装置。
【請求項３】
請求項１に記載の撮像装置において、
前記発光ユニットの移動を補助する補助アーム、
をさらに備え、
前記発光ユニットは、第１の軸を中心に回動して、前記収容位置と前記発光位置との間を移動し、
前記補助アームは、第２の軸を中心に回動し、前記第１付勢手段による付勢力に応じて当該補助アームの先端側で前記発光ユニットを押し上げる、撮像装置。
【請求項４】
請求項３に記載の撮像装置において、
前記第１付勢手段は、前記第２の軸を中心に配置される捻りコイルバネを有し、
前記捻りコイルバネの前記補助アーム先端部側の作用点は、撮影光学系の光軸に垂直な水平方向において、前記補助アームの中央よりも前記係止部材側に配置されている、撮像装置。
【請求項５】
請求項３に記載の撮像装置において、
前記第１付勢手段は、前記第２の軸を中心に配置される捻りコイルバネを有し、
前記捻りコイルバネは、比較的前面側に配置されたペンタミラーあるいはペンタプリズムと比較的背面側に配置されたファインダ光学系との中間部分に配置される、撮像装置。
【請求項６】
請求項１に記載の撮像装置において、
前記発光ユニットは、撮影光学系の光軸に垂直な水平方向に対して斜行する第１の斜面を有し、
前記本体側固定部材は、前記第１の斜面に略平行な第２の斜面を有し、
前記発光ユニットが前記収容位置に存在する状態においては、前記第１の斜面と第２の斜面とが対向し接触する、撮像装置。
【発明の詳細な説明】
【技術分野】
【０００１】
本発明は、デジタルカメラなどの撮像装置に関する。
【背景技術】
【０００２】
一眼レフタイプの撮像装置等においては、ポップアップ式の内蔵フラッシュを備えたものが存在する（特許文献１等参照）。
【０００３】
このようなポップアップ式内蔵フラッシュの発光部（発光ユニット）は、測光結果等に基づいてフラッシュ発光が必要であると判定されると、収容位置（下側位置）から発光位置（上側位置）へと自動的に上昇して発光が可能な状態になる。その後、フラッシュ発光が不要であると撮影者が判断すると、撮影者によって当該発光ユニットは収容位置へと押し下げられ、カメラの本体と一体化された状態で収容される。
【０００４】
このような内蔵フラッシュにおいては、発光ユニットを常に発光位置側に移動させようとする付勢力がバネ等により付与されている。そして、発光ユニットが収容位置へと押し下げられた状態では、所定の係止部材により発光ユニットがポップアップしないように保持されている。すなわち、発光ユニットが係止部材により係止された状態（ロック状態）になっている。なお、フラッシュ発光が必要であると判定されると、駆動部によって所定の可動部が駆動されて係止部材によるロック状態が解除され、発光ユニットがポップアップする。
【先行技術文献】
【特許文献】
【０００５】
【特許文献１】特開２００５−３４５６１５号公報
【発明の概要】
【発明が解決しようとする課題】
【０００６】
ところで、上述のような発光ユニットは、収容位置（下側位置）において、バネ等による付勢力に抗して、係止部材によって係止されている。そして、この状態において、発光ユニットはストロボベースユニット（単にベースユニットとも称する）の所定部位に接触するように配置される。この状態での発光ユニットは、外観上の理由（美的観点）等により、ベースユニットの所定部位に対して隙間なく密着して配置されることが好ましい。端的に言えば、ベースユニットに対する発光ユニットの「浮き」を防止することが好ましい。
【０００７】
しかしながら、収容位置での発光ユニットをベースユニットに対して正しく配置するためには、通常、係止部材等の位置を微調整することが求められる。そして、このような調整作業は、非常に手間を要する。
【０００８】
そこで、この発明の課題は、本体側固定部材に対する発光ユニットの「浮き」をより簡易に防止することが可能な撮像装置を提供することにある。
【課題を解決するための手段】
【０００９】
本発明は、撮像装置であって、本体側固定部材上の収容位置と前記本体側固定部材から離間した発光位置との間を昇降移動する発光ユニットと、前記発光ユニットを前記発光位置に向けて付勢する第１付勢手段と、前記発光ユニット内に設けられ前記発光ユニットの昇降移動動作に伴って昇降移動する被係止部材と、前記発光ユニットが前記収容位置に存在する状態において前記被係止部材を係止し、前記第１付勢手段による第１付勢力に抗して前記発光ユニットの位置変動を抑止する係止部材とを備え、前記係止部材は、前記被係止部材を係止する係止位置と前記被係止部材の係止を解除する係止解除位置との間で移動可能に設けられ、前記被係止部材は、第２付勢手段による第２付勢力が付与された状態で、前記発光ユニット内において前記発光ユニットに対して所定方向に移動可能に設けられ、前記発光ユニットが前記収容位置に存在する状態においては、前記係止部材は、前記係止位置に固定的に保持され、前記被係止部材に設けられた斜行部を係止して、前記第１付勢力に抗して前記発光ユニットの位置変動を抑止するとともに、前記第２付勢力に応じた反力を前記斜行部に向けて作用させ、前記本体側固定部材へ向かう力を前記斜行部に付与するものである。
【発明の効果】
【００１０】
本発明によれば、本体側固定部材に対する発光ユニットの「浮き」をより簡易に防止することが可能である。
【図面の簡単な説明】
【００１１】
【図１】撮像装置の外観構成を示す斜視図である。
【図２】フラッシュ機構付近の外観構成を示す側面図である。
【図３】フラッシュ機構付近の外観構成を示す上面図である。
【図４】発光ユニットが発光位置に存在する様子を示す側面図である。
【図５】フラッシュ機構付近の外観構造を示す斜視図である。
【図６】フラッシュ機構付近の内部構造を示す斜視図である。
【図７】フラッシュ機構付近の内部構造を示す側面図である（発光位置）。
【図８】フラッシュ機構付近の内部構造を示す側面図である（収容位置）。
【図９】フラッシュ機構付近の内部構造を示す上面図である。
【図１０】図３のＩ−Ｉ断面における断面図である。
【図１１】フラッシュ機構付近の外観構造を示す別の角度から見た斜視図である。
【図１２】図２のII−II断面を示す図である。
【図１３】図１２の一部領域付近の拡大図である。
【図１４】発光ユニットが収容位置よりも若干上方に存在する状態を示す断面図である。
【図１５】スライド部材を示す図である。
【図１６】スライド部材を示す図である。
【図１７】ポップアップ動作を示す図である。
【図１８】収容動作を示す図である。
【図１９】収容動作を示す図である。
【図２０】収容動作を示す図である。
【図２１】収容動作を示す図である。
【図２２】収容動作を示す図である。
【図２３】収容動作を示す図である。
【発明を実施するための形態】
【００１２】
以下、発明を実施するための形態（実施形態とも称する）について説明する。なお、説明は、以下の順序、すなわち、
１．全体構成、
２．フラッシュ機構、
３．動作、
４．その他、
の順序で行う。
【００１３】
＜１．全体構成＞
図１〜図４は、本発明に係る撮像装置１の外観構成を示す図である。図１は撮像装置１の斜視図であり、図２は撮像装置１の側面図であり、図３は撮像装置１の上面図である。また、図４は発光ユニット２１が発光位置に存在する状態を示す側面図である。図２〜図４は、フラッシュ機構２０付近の構成を中心に示している。撮像装置１は、レンズ交換式一眼レフレックスタイプのデジタルカメラとして構成されている。なお、各図においては、適宜、ＸＹＺ直交座標系を用いて方向等を示している。Ｚ方向は、撮影光学系の光軸方向であるとも表現され、Ｘ方向は、撮影光学系の光軸方向（Ｚ軸方向）に垂直な水平方向であるとも表現される。また、Ｙ方向は鉛直方向であるとも表現される。
【００１４】
図１に示すように、撮像装置１は、カメラ本体部（カメラボディ）２を備えている。このカメラ本体部２に対して、交換式の撮影レンズユニット（交換レンズ）３が着脱可能である。図示の都合上、図１は、撮影レンズユニット３が外された状態を示しているが、撮像装置１は実際の撮影時には撮影レンズユニット３が装着された状態で使用される。
【００１５】
また、カメラ本体部２のグリップ部の上面には露光開始を指示するためのレリーズボタン１１が設けられている。
【００１６】
レリーズボタン１１は、半押し状態（Ｓ１状態）と全押し状態（Ｓ２状態）の２つの状態を検出可能な２段階検出ボタンである。レリーズボタン１１が半押しされＳ１状態になると、被写体に関する記録用静止画像（本撮影画像）を取得するための準備動作（例えば、ＡＥ制御動作およびＡＦ制御動作等）が行われる。また、レリーズボタン１１がさらに押し込まれてＳ２状態になると、当該本撮影画像の撮影動作（撮像素子を用いて被写体像（被写体の光像）に関する露光動作を行い、その露光動作によって得られた画像信号に所定の画像処理を施す一連の動作）が行われる。
【００１７】
カメラ本体部２の上面側にはポップアップ式のフラッシュ機構２０が収容可能に設けられている。フラッシュ機構２０は、被写体の輝度不足時等に利用される発光ユニット２１（図２および図４参照）を有している。撮像装置１は、カメラ本体部２に内蔵されるフラッシュ制御回路および全体制御部等によって、発光ユニット２１のフラッシュ発光部２１ｆの発光を制御する。
【００１８】
フラッシュ機構２０は、発光ユニット２１が収容された状態（収容状態）（図２参照）と発光ユニット２１がポップアップされた状態（ポップアップ状態）（図４参照）とを切り替え可能となるように、構成されている。換言すれば、フラッシュ機構２０は、カメラ本体部２に対して発光ユニット２１を昇降移動させること、より詳細には、収容位置ＰＧ１０（図１および図２参照）と発光位置ＰＧ２０（図４参照）との間で発光ユニット２１を昇降移動させることが可能である。
【００１９】
特に、撮像装置１は、図４の状態となるようにフラッシュ機構２０の発光ユニット２１を自動的にポップアップさせることが可能である。具体的には、レリーズボタン１１が半押し状態（Ｓ１状態）にされてＡＥ制御動作（自動露出制御動作）が実行され、フラッシュ発光が必要であると判定される場合には、フラッシュ機構２０の発光ユニット２１が自動的にポップアップする。そして、レリーズボタン１１が全押し状態（Ｓ２状態）にされると、発光ユニット２１のフラッシュ発光部２１ｆが発光して被写体が照明されるとともに、本撮影動作（露光動作）が実行される。また、ポップアップ状態の発光ユニット２１は、操作者による押し下げ操作によって収容状態へと移行され、カメラ本体部２の上部に収容される。これらの動作については後に詳述する。
【００２０】
＜２．フラッシュ機構＞
図５〜図１１は、フラッシュ機構２０付近の構造を示す図である。特に、図６〜図９は、トップカバー２１Ｔ（図５参照）を外した状態で示されている。図５、図６、図１１は斜視図であり、図７および図８は側面図であり、図９は上面図である。また、図１０は、図３のＩ−Ｉ断面における断面図である。なお、図７は、発光ユニット２１が発光位置に存在する状態を示しており、図８は、発光ユニット２１が収容位置に存在する状態を示している。また、各図においては、図示の都合上、幾つかの要素（フラッシュ発光部２１ｆ等）が省略されている。
【００２１】
図５等に示すように、このフラッシュ機構２０は、発光ユニット２１と補助アーム部２３とポップアップバネ２４とベース部材（ストロボベースとも称される）２５とを備えている。
【００２２】
ベース部材２５は、本体側に固定される部材（本体側固定部材）の１つである。また、発光ユニット２１は、ベース部材２５に対して昇降移動する。
【００２３】
発光ユニット２１は、当該発光ユニット２１の本体部であるストロボケース２２（図６）を有するとともに、当該ストロボケース２２を覆うトップカバー２１Ｔ（図５）を有している。発光ユニット２１は、当該発光ユニット２１の前方部分（ストロボケース２２の前方部分でもある）にフラッシュ発光部２１ｆを有する。
【００２４】
この発光ユニット２１は、軸ＡＸ１（詳細には軸部材２６の中心軸）を中心に回動可能に設けられる。軸ＡＸ１は、装置１上部の背面側（−Ｚ側）において、装置１の左右方向（Ｘ方向）に延びる軸である。
【００２５】
補助アーム部２３（図５および図７参照）は、軸ＡＸ２（詳細には軸部材２７の中心軸）を中心に回転するアーム部材であり、発光ユニット２１の昇降動作を補助する。軸ＡＸ２も、軸ＡＸ１と同様に、装置１の上部において装置１の左右方向（Ｘ方向）に延びる軸である。ただし、軸ＡＸ２は、装置１の奥行き方向（Ｚ方向）における略中央部に設けられる。
【００２６】
補助アーム部２３の下部の左右両側には、それぞれ、貫通孔２３ｂ（図５）が設けられている。また、補助アーム部２３の下部の左右両側には、それぞれ、補助アーム部２３の下部をその外側から挟むように軸受部２５ｃが設けられており、各軸受部２５ｃは、貫通孔２５ｂを有している。軸部材２７はこれらの貫通孔２３ｂ，２５ｂを貫通しており、補助アーム部２３は軸部材２７の中心軸ＡＸ２を中心に回動する。
【００２７】
図６および図７に示すように、補助アーム部２３の先端側（前方先端側ないし上方先端側とも称される）には案内ピン２３ｄが設けられている。また、ストロボケース２２の前方寄りの位置には、案内ピン２３ｄを案内する案内溝２２ｄが設けられている。補助アーム部２３の軸ＡＸ２周りの回動動作に応じて補助アーム部２３の案内ピン２３ｄがストロボケース２２の案内溝２２ｄに沿って摺動することによって、ストロボケース２２（および発光ユニット２１等）が軸ＡＸ１周りに回動する。
【００２８】
また、軸部材２７の周囲には、ポップアップバネ（詳細には、捻りコイルバネ）２４（図９および図１０も参照）が設けられている。ポップアップバネ２４は、補助アーム部２３を軸ＡＸ２を中心に時計回り（図７）に回動させる向きの付勢力を付与している。なお、図５においては、補助アーム部２３の下部の前面側に半円筒形状のカバー部材２３ｃが設けられており、ポップアップバネ２４は、当該カバー部材２３ｃの背面側に隠れている。
【００２９】
より具体的には、図９に示すように、ポップアップバネ２４の一方の端部２４ｅは、ストロボケース２２の所定部位２２ｇに固定されている。また、ポップアップバネ２４のもう一方の端部２４ｆは、補助アーム部２３の比較的先端部側に設けられた固定用穴２３ｈに挿入されて固定されている。ポップアップバネ２４の端部２４ｆから補助アーム部２３の先端部側（固定用穴２３ｈ）へと伝達されるバネの弾性力（付勢力）は、補助アーム部２３のＸ方向における中央線ＣＬよりも＋Ｘ側の位置で補助アーム部２３に作用する。後述するロックレバー３２（図１１参照）も、補助アーム部２３に関するＸ方向中央線ＣＬよりも＋Ｘ側に設けられることから、ロックレバー３２と端部２４ｆとは当該中央線ＣＬに対して同じ側に配置される。
【００３０】
このように、ポップアップバネ２４の端部２４ｆにおける付勢力の（補助アーム部２３先端部側への）作用点は、補助アーム部２３の左右方向において、中央よりもロックレバー３２側（ロックレバー３２と同じ側）に配置されている。したがって、各部材に加わる捻れ（例えば、補助アーム部２３およびストロボケース２２に加わる捻れモーメント）、および当該捻れに起因する変形を、最小限に止めることが可能である。
【００３１】
また、図１０にも示すように、ポップアップバネ２４は、撮像装置１の前後方向（Ｚ方向）において、略中央部分に配置されている。より具体的には、ポップアップバネ２４は、比較的前面側に配置されたペンタミラー６１と比較的背面側に配置されたファインダ光学系６５との中間部分（谷間部分でもある）に配置される。より詳細には、ポップアップバネ２４は、前面側突出部分ＰＴよりも低い位置の空間をも利用して配置される。前面側突出部分ＰＴは、ベース部材２５にてペンタミラー６１を覆う山形状の部分である。
【００３２】
このような谷間部分を利用してポップアップバネ２４を配置することによって、装置全高の増大を抑制することができる。特に、比較的大きな外径を有するコイルバネをポップアップバネ２４として用いる場合においても、全高を抑制することが可能である。なお、図１０においては、ファインダ光学系６５は簡略化して示されている。また、ここでは、ペンタミラー６１を用いる場合を例示しているが、これに限定されない。例えば、ペンタミラー６１に代えてペンタプリズムを用いる場合についても同様の配置が可能である。
【００３３】
ポップアップバネ２４は、補助アーム部２３に対して図７の反時計回りの付勢力（上向きの付勢力）を常に付与している。換言すれば、ポップアップバネ２４は、当該補助アーム部２３を介して発光ユニット２１を常に発光位置ＰＧ２０（図２）に向けて付勢している。
【００３４】
ポップアップバネ２４の付勢力によって補助アーム部２３が所定の起立状態にまで起き上がることに応じて、補助アーム部２３の先端部は発光ユニット２１を押し上げていく（図８→図７）。より詳細には、図８の状態において補助アーム部２３が軸ＡＸ２を中心に時計方向に回転することに応じて、補助アーム部２３の案内ピン２３ｄが、ストロボケース２２の案内溝２２ｄの前方側（＋Ｚ側）から後方側（−Ｚ側）へと当該案内溝２２ｄに沿って移動する。このような動作に応じて、発光ユニット２１が軸ＡＸ１を中心に時計回りに回動し発光ユニット２１のフラッシュ発光部２１ｆは上昇する。そして、発光ユニット２１が所定の高さの位置にまで上昇し、補助アーム部２３の案内ピン２３ｄが、ストロボケース２２の案内溝２２ｄの後端２２ｅへと到達すると、補助アーム部２３の回動動作が停止するとともに、発光ユニット２１の回動動作も停止する。発光ユニット２１（ストロボケース２２）のこの停止位置（ＰＧ２０）（図７）は、フラッシュ発光部２１ｆの発光が行われる位置であり、発光位置とも称される。
【００３５】
このように、発光ユニット２１は、ポップアップバネ２４の弾性力によって、補助アーム部２３を介して上昇する。
【００３６】
なお、逆向きの動作が行われる場合、すなわち、発光ユニット２１が下降される場合には、当該発光ユニット２１が軸ＡＸ１を中心として逆向き（反時計回り）に回転する。そして、補助アーム部２３の案内ピン２３ｄが、ストロボケース２２の案内溝２２ｄの後端２２ｅ（図８）から前方側へと当該案内溝２２ｄに沿って移動しつつ、補助アーム部２３も軸ＡＸ２を中心として逆向き（反時計回り）に回動する。そして、発光ユニット２１は、所定位置ＰＧ１０にまで下降し、後述するロックレバー３２等によってロックされた状態で収容される。
【００３７】
発光ユニット２１の収容状態においては、当該発光ユニット２１の所定部分は、本体側固定部材の所定部分に接触して保持される。
【００３８】
具体的には、当該収容状態においては、ストロボケース２２（発光ユニット２１）の下面の一部ＦＣ１（図１１）は、ベース部材２５（本体側固定部材）の上面の一部ＦＣ５（図１１）等に接触している。当該収容状態においては、発光ユニット２１は、主にこのような面接触によってベース部材２５に保持される。
【００３９】
また、図１２〜図１４にも示すように、当該収容状態においては、トップカバー２１Ｔの下面の一部ＳＢ１，ＣＢ１（図１３および図１４参照）は、本体側カバー部材２５Ｔの上端部分の一部ＳＢ５，ＣＢ５等に対しても、接触ないし非常に近接して配置される。すなわち、トップカバー２１Ｔの部分ＳＢ１，ＣＢ１と本体側カバー部材２５Ｔの部分ＳＢ５，ＣＢ５とは、接触対向状態あるいは近接対向状態を有する。
【００４０】
なお、図１２は、図２のII−II断面を示す図であり、発光ユニット２１が収容位置に存在する状態を示している。また、図１３は図１２の一部領域ＲＧ付近の拡大図である。さらに、図１４は、図１２と同様の断面図であり、発光ユニット２１が収容位置よりも若干上方に存在する状態を示している。また、部分ＳＢ１は、Ｘ方向に対して斜行する斜面であり、部分ＳＢ２は、斜面ＳＢ１に略平行な斜面である。同様に、部分ＣＢ１は、Ｘ方向に対して斜行する斜面であり、部分ＣＢ５は、斜面ＣＢ１に略平行な斜面である。
【００４１】
このように、発光ユニット２１の収容状態においては、当該発光ユニット２１（ストロボケース２２およびトップカバー２１Ｔ）の所定部分は、本体側固定部材（ベース部材２５および本体側カバー部材２５Ｔ等）の所定部分に接触して保持される。
【００４２】
また特に、当該収容状態においては、発光ユニット２１の斜面ＳＢ１と本体側固定部材の斜面ＳＢ５とが対向配置されている。そのため、仮に発光ユニット２１がベース部材２５に対して微小な位置ずれをＸ方向に有する場合であっても、発光ユニット２１の斜面ＳＢ１が本体側固定部材の斜面ＳＢ５に接触しながら、発光ユニット２１が下降する。これにより、Ｘ方向のずれが補正される。すなわち、装置の左右方向（Ｘ方向）の位置誤差が吸収される。また、このような斜面ＳＢ１，ＳＢ５が、鉛直方向に対して逆向きの斜行角度を有する状態でＸ方向の両側に設けられているため、Ｘ方向における互いに異なる向きのずれ（＋Ｘ方向のずれと−Ｘ方向のずれとの双方）を効率的に補正することが可能である。
【００４３】
発光ユニット２１の斜面ＣＢ１と本体側固定部材の斜面ＣＢ５とに関しても、同様の位置補正効果が存在する。
【００４４】
また、図１５および図１６に示すように、発光ユニット２１のストロボケース２２には、装置の前後方向（Ｚ方向）に移動可能なスライド部材２８が設けられている。図１５および図１６は、スライド部材２８を示す図である。
【００４５】
図１５に示されるように、スライド部材２８は、第１部材２８ａと第２部材２８ｂとが一体的に結合されて構成される（図６も参照）。第１部材２８ａは、第２部材２８ｂに対して主に＋Ｘ側に配置されている。このスライド部材２８は、ストロボケース２２において突出して設けられたガイド部２２ｐ，２２ｑに案内されて、装置１の前後方向（Ｚ方向）においてストロボケース２２に対してスライド移動可能である。また、第１部材２８ａの側面の突起部２８ｄとストロボケース２２に固定された突起部２２ｒとの間には、バネ（弾性部材）２９（詳細には引張コイルバネ）が設けられている。スライド部材２８が所定の基準位置よりも装置前側（＋Ｚ側）に移動しようとすると、バネ２９はスライド部材２８を、逆向きすなわち装置背面側（−Ｚ側）へと引き戻す弾性力を付与する。すなわち、バネ２９は、スライド部材２８を装置背面側（−Ｚ側）へと付勢する付勢力を付与する。
【００４６】
また、図１６に示すように、スライド部材２８の第２部材２８ｂは、略Ｌ字形状を有している。具体的には、第２部材２８ｂは、装置前後方向（Ｚ方向）に延びる長辺側部分２８ｅと、装置上下方向（Ｙ方向）に延びる短辺側部分２８ｆとを有する。また、当該長辺側部分２８ｅの−Ｙ側（下側）且つ当該短辺側部分２８ｆの−Ｚ側（後ろ側）に存在する空間（中空部）には、後述するロックレバー３２のフック部３２ｃが配置される。一方、第２部材２８ｂの短辺側部分２８ｆには、長辺側部分２８ｅとの接続部分から鉛直下方に延びる狭小部分２８ｇと、当該狭小部分から徐々に装置後方側へと斜行しつつ下方に延びる斜行部（テーパ部）２８ｈとが設けられている。後述するように、発光ユニット２１が収容位置に存在するときには、フック部３２ｃがこの斜行部２８ｈに接触することによって、斜行部２８ｈの移動が抑止される。特に、このとき、上述のバネ２９の弾性力に基づき斜行部２８ｈがフック部３２ｃに向けて付勢されることによって、フック部３２ｃは斜行部２８ｈ（ひいてはスライド部材２８および発光ユニット２１）を確実に係止することが可能である。これについては後に詳述する。
【００４７】
このスライド部材２８は、補助アーム部２３の回動動作（昇降動作）、換言すれば、発光ユニット２１の昇降動作に伴って、発光ユニット２１に付随して移動する。ただし、スライド部材２８は、図１５に示すように、発光ユニット２１内において発光ユニット２１に対して装置前後方向（Ｚ方向）にのみ相対的に移動可能であり、鉛直方向（Ｙ方向）においては発光ユニット２１に対して相対的には移動しない。そして、図１６に示すように、スライド部材２８は、発光ユニット２１の収容位置ＰＧ１０（図１参照）においては、ロックレバー３２のフック部３２ｃによって係止される。これによって、発光ユニット２１の鉛直方向における位置変動が抑止され、発光ユニット２１の収容状態が維持される。そのため、スライド部材２８は被係止部材であるとも称される。
【００４８】
図７および図１６に示すように、ロックレバー３２は、軸ＡＸ３（詳細には軸部材３１の中心軸）を中心に回動可能となるように、ベース部材２５に設けられる。軸ＡＸ３は、ベース部材２５の上面よりも下方において、装置１の左右方向（Ｘ方向）に延びる軸である。ただし、軸ＡＸ３は、奥行き方向（Ｚ方向）の前方側に設けられる。
【００４９】
また、ロックレバー３２は、軸ＡＸ３の周囲にバネ３６（詳細には捻りコイルバネ）を有している。当該バネ３６は、中心軸ＡＸ３を中心にロックレバー３２を反時計回りに回転させる向きの付勢力をロックレバー３２に付与している。ただし、バネ３６の付勢力は、ポップアップバネ２４の付勢力に比べて非常に小さい。
【００５０】
ロックレバー３２は、ベース部材２５の上面２５ｆに設けられる孔（不図示）を貫通し、ベース部材２５の上面２５ｆの上側と下側との双方にわたって設けられる。
【００５１】
ロックレバー３２は、軸ＡＸ３よりも上方（且つベース部材２５の上面よりも上方）において、鈎型の部分（フック部とも称する）３２ｃを有している。特に、当該フック部３２ｃの先端部は、スライド部材２８の斜行部２８ｈに接触して当該スライド部材２８を係止し、スライド部材２８等の上方への移動を抑止する。このように、ロックレバー３２（特にフック部３２ｃ）は、スライド部材２８（ひいては発光ユニット２１）を係止する係止部材であるとも称される。
【００５２】
ロックレバー３２は、軸ＡＸ３よりも下方において、鉛直下方に延びる部分を有しており、当該部分の下端側において略円筒形状の突出部３２ｇを有している。この突出部３２ｇは、後述する駆動部４０の可動鉄心４３の先端に設けられた孔４３ｈ（図７参照）を貫通する。突出部３３ｇの直径は、孔４３ｈの前後方向の長さとほぼ同じであり、突出部３３ｇは、孔４３ｈの前後方向において位置決めされた状態で配置される。そして、後述するように、突出部３３ｇは、可動鉄心４３の移動に合わせて前後方向に移動する。
【００５３】
図７および図１６に示すように、駆動部４０は、電磁石（ソレノイドコイル）４１と永久磁石４２と可動鉄心４３とを有している。可動鉄心４３は、先端部４３ｃと当該先端部からカメラ背面側（＋Ｙ側）に延びる２本の脚部４３ｆとを有しており、当該２本の脚部４３ｆはそれぞれ電磁石（ソレノイドコイル）４１の空洞内に挿入されている。可動鉄心４３は、電磁石４１に対する通電状態に応じて、駆動部４０における磁力等とバネ３６による付勢力との大小関係に従ってカメラの略前後方向に移動する。なお、可動鉄心４３は、駆動部４０の可動部であるとも表現される。逆に、電磁石４１および永久磁石４２などは、固定部であるとも表現される。
【００５４】
また、可動鉄心４３の先端側には孔４３ｈが設けられており、当該孔４３ｈにはロックレバー３２の突出部３３ｇが略上下方向の移動が許容された状態で嵌合している。そして、可動鉄心４３とロックレバー３２とは連動して動作する。具体的には、可動鉄心４３の略前後方向における進退動作とロックレバー３２の軸ＡＸ３を中心とする回動動作とが連動して行われる。
【００５５】
可動鉄心４３は、電磁石４１の非通電状態においては、主に永久磁石４２の磁力（吸着力）によって吸着され、比較的後方の位置（後方位置とも称する）Ｐ１（図７参照）に固定される。
【００５６】
一方、電磁石４１への通電が行われ永久磁石４２と逆向きの磁界が生成されると、可動鉄心４３に対する引きつけ力（可動鉄心４３を永久磁石４２側に引き寄せる力）が低下し、ロックレバー３２の固定力が解除される。そのため、ポップアップバネ２４による上向きの付勢力が支配的になり、ロックレバー３２によるスライド部材２８の係止状態が解除され、発光ユニット２１が発光位置へと移動（上昇）する。なお、電磁石４１等を有する駆動部４０は、係止解除部であるとも表現される。
【００５７】
＜３．動作＞
＜３−１．ポップアップ動作＞
まず、発光ユニット２１をポップアップさせる動作について説明する。
【００５８】
図２等の係止状態（ロック状態）においては、図２１（後述）にも示すように、ロックレバー３２のフック部３２ｃによってスライド部材２８の斜行部２８ｈが係止されることによって、発光ユニット２１が収容位置に保持されている。この状態においては、可動鉄心４３が後方位置Ｐ１に存在する。
【００５９】
この状態において、レリーズボタン１１が半押し状態Ｓ１にされてＡＥ制御動作が実行され、フラッシュ発光が必要であると判定されると、次のような動作によってフラッシュ機構２０の発光ユニット２１が自動的にポップアップする。
【００６０】
具体的には、発光ユニット２１の収容状態（図２１参照）において、電磁石４１に通電することにより、ポップアップ動作が実現される。
【００６１】
まず、電磁石（ソレノイドコイル）４１への通電が行われ永久磁石４２の磁界に対して逆向きの磁界が生成されると、駆動部４０全体としての可動鉄心４３に対する引力、具体的には、可動鉄心４３を永久磁石４２側に引き付ける力、が低下する。その結果、ロックレバー３２を固定する力が低減ないし消滅する。そのため、ポップアップバネ２４による上向きの付勢力に対抗することができなくなり、当該付勢力が支配的となる。そして、当該付勢力がスライド部材２８の斜行部２８ｈを介して、ロックレバー３２のフック部３２ｃに伝達される。当該フック部３２ｃが上昇する向きの力を受けると、これに応じて、図１７に示すように、非固定状態のロックレバー３２は軸ＡＸ３を中心に反時計回り（矢印ＡＲ２の向き）に回転し、可動鉄心４３は矢印ＡＲ１の向きに前方位置Ｐ２にまで移動する。
【００６２】
そして、このようなロックレバー３２の回動動作等に伴って、スライド部材２８の係止状態が解除される。具体的には、ロックレバー３２に係止されていたスライド部材２８の係止状態が解除され、図１７の矢印ＡＲ３に示されるように、ポップアップバネ２４の上向きの付勢力によってスライド部材２８および発光ユニット２１等が上昇する。
【００６３】
このような動作がほぼ同時に行われることによって、発光ユニット２１がポップアップ状態（図４および図７等参照）に遷移する。また、カメラ本体部２がポップアップ状態に遷移した直後には電磁石４１の通電は終了している。そのため、ロックレバー３２はバネ３６の付勢力に応じて反時計回りに回転し、元の位置に復帰するとともに、可動鉄心４３が再び後方位置Ｐ１へと移動する（図２１参照）。この状態においては、可動鉄心４３が永久磁石４２に再び吸着され固定されることによって、ロックレバー３２（およびフック部３２ｃ）が図２１の位置に固定的に保持される。
【００６４】
この状態（可動鉄心４３が後方位置Ｐ１に存在する状態）におけるロックレバー３２（およびフック部３２ｃ）の位置は、スライド部材２８（および発光ユニット２１）を係止する位置であることから、「係止位置」であるとも表現される。一方、可動鉄心４３が前方位置Ｐ２に存在する状態でのロックレバー３２（およびフック部３２ｃ）の位置は、スライド部材２８等に関する係止が解除された位置であることから、「係止解除位置」であるとも表現される。なお、電磁石に対する通電は、係止解除のための短時間（例えば０．５秒）の通電期間のみに行われる。当該通電期間以外の期間においては、電磁石は非通電状態である。
【００６５】
＜３−２．収容動作＞
つぎに、発光ユニット２１を収容する動作について、図１８〜図２１等を参照しながら詳細に説明する。図１８から図２１は、操作者による押し下げ操作に伴って発光ユニット２１が徐々に下降していく様子を示す側断面図である。特に図２１は、発光ユニット２１の収納状態を示している。また、図２０は図２１の直前の状態を示し、図１９は図２０の直前の状態を示し、図１８は図１９の直前の状態を示している。なお、図１８〜図２１では、発光ユニット２１、ストロボケース２２、スライド部材２８の第１部材２８ａ等の図示を省略している。  
さて、例えば上記ポップアップ状態でのフラッシュ発光を伴う撮影が終了すると、ポップアップ状態の発光ユニット２１は、操作者による押し下げ操作によって収容状態へと移行し、カメラ本体部２の上部に収容される。以下では、このような収容動作について説明する。
【００６６】
具体的には、例えば操作者が発光ユニット２１による発光が不要であると判断したとき（撮影終了時等）には、操作者は、発光ユニット２１を格納するため、トップカバー２１Ｔを押し下げる操作（ひいては発光ユニット２１を押し下げる操作）を行う。この押し下げ操作は、ポップアップバネ２４の上向きの付勢力に対抗する力を付与して行われる。そして、当該押し下げ操作に伴って、ストロボケース２２が下降するとともに、スライド部材２８もそれぞれ下降する（矢印ＡＲ１１参照）。なお、スライド部材２８には、バネ２９によって後方側へと向かう付勢力が付与されている。ただし、このときスライド部材２８は後方側のストッパ部２２ｓ（図９参照）に当接し、停止している。
【００６７】
そして、図１８に示すように、スライド部材２８が或る程度下降すると、スライド部材２８の曲面状の突出部２８ｖが、ロックレバー３２のフック部３２ｃの上方側面に接触する。突出部２８ｖは、斜行部２８ｈの下方背面側において、斜行部２８ｈに連続的に設けられた曲面部である。
【００６８】
このとき、上述のように可動鉄心４３は永久磁石４２に吸着され固定されているため、ロックレバー３２は移動しない。なお、この吸着固定状態は、図１８から図２１に至るまで常に継続される。
【００６９】
そのため、ロックレバー３２とスライド部材２８とが接触すると、ロックレバー３２は移動せず、スライド部材２８がロックレバー３２からの反力を受けて移動する。具体的には、スライド部材２８は、ロックレバー３２からの前方への反力を受けて、バネ２９（図１５参照）の弾性力（後方側への付勢力）に抗して、前方側（＋Ｚ側）へと移動する（図１９の矢印ＡＲ２１参照）。
【００７０】
さらに、図１９に示すように、操作者の押し下げ操作が継続されると、スライド部材２８の突出部２８ｖがロックレバー３２のフック部３２ｃに接触しながらさらに下降し、操作者による操作力がスライド部材２８を介してロックレバー３２に伝達される。しかしながら、上述のように、可動鉄心４３が永久磁石４２に吸着され固定されているため、ロックレバー３２は移動しない。そのため、スライド部材２８がロックレバー３２からの反力を受けてさらに前方側（＋Ｚ側）へと移動する（矢印ＡＲ２１参照）。
【００７１】
その後、操作者の押し下げ操作が継続されると、スライド部材２８が徐々に下降する。そして、図２０に示すようにスライド部材２８の斜行部２８ｈがフック部３２ｃの先端に接触し始める。
【００７２】
さらに、操作者の押し下げ操作が継続されると、スライド部材２８がさらに下降し、ロックレバー３２からスライド部材２８へと作用する反力の前後方向成分（Ｚ方向成分）が低下し、バネ２９による背面側への付勢力が当該前後方向成分よりも大きくなる。そのため、スライド部材２８は今度は逆に背面側（−Ｚ側）へと移動する（図２１の矢印ＡＲ２２参照）。
【００７３】
これにより、図２１に示すようにスライド部材２８の斜行部２８ｈがフック部３２ｃの先端の下側の接触面（係止面とも称する）３２ｄに接触するようになる。すなわち、スライド部材２８の斜行部２８ｈが、フック部３２ｃの係止面３２ｄの下側に配置される。
【００７４】
この結果、スライド部材２８の斜行部２８ｈは、係止位置に保持されたフック部３２ｃの係止面３２ｄによって係止され、フック部３２ｃは、ポップアップバネ２４の付勢力に抗して発光ユニット２１の位置変動を抑止する。また、当該斜行部２８ｈは、バネ２９の付勢力に応じてフック部３２ｃからの反力を受けて、本体側固定部材へ向かう（下向きの）押し付け力（押圧力）を付与される。なお、この状態においても、可動鉄心４３が永久磁石４２に吸着され固定されているため、ロックレバー３２のフック部３２ｃは、固定的に保持されており、移動しない。
【００７５】
また、この状態において、フック部３２ｃの位置誤差等に起因して発光ユニット２１の「浮き」が仮に生じ得る場合（図２２参照）であっても、次述するような動作によって、この浮きを解消することが可能である。図２２は、「浮き」が未だ生じている状態を示す図であり、図２３は、「浮き」が解消された状態を示す図である。
【００７６】
具体的には、図２２に示すように、スライド部材２８がフック部３２ｃに対して図２１と同様の状態にまで下降しているにもかかわらず、発光ユニット２１の下面ＦＣ１がベース部材２５の上面ＦＣ５に未だ接触していない場合を想定する。図２２においては、発光ユニット２１の下面ＦＣ１とベース部材２５の上面ＦＣ５との間隙ΔＤ（例えば０．５ｍｍ）が存在する状態を示している。
【００７７】
この場合において、発光ユニット２１が収容位置へと移動する際（詳細には、図２３の状態に至る直前）において、バネ２９による背面側への付勢力に応じて、スライド部材２８は背面側（−Ｚ側）に向けて（矢印ＡＲ２２の向きに）スライド移動する。特に、ロックレバー３２のフック部３２ｃは、係止位置で固定的に保持されているため、スライド部材２８の斜行部２８ｈがロックレバー３２のフック部３２ｃに対して移動する。
【００７８】
より具体的には、バネ２９による付勢力に応じて、スライド部材２８の斜行部２８ｈがフック部３２ｃの係止面（接触面）３２ｄに接触しつつ、下方且つ後方側（後方側斜め下方）に移動する（図２３参照）。すなわち、スライド部材２８は、バネ２９の引き込み力（付勢力）によって、フック部３２ｃの下側にも向けてさらに若干量移動する。端的に言えば、スライド部材２８は、ロックレバー３２からの反力を受けつつ移動し、フック部３２ｃの下側へとさらに潜り込む。そして、この動作に応じて、スライド部材２８および発光ユニット２１は、下向きに移動し、発光ユニット２１のストロボケース２２の所定部分（例えば面ＦＣ１）が本体側固定部材の所定部分（例えば面ＦＣ５）に接触（ないし密着）する状態になるまで下降する。これにより、発光ユニット２１の「浮き」が解消される。
【００７９】
また、このような接触（ないし密着）状態は、操作者の押し下げ操作力が除去された後においても継続する。操作力除去後の収容状態においては、スライド部材２８の斜行部２８ｈは、係止位置に固定的に保持されたフック部３２ｃの下側に配置されて、当該フック部３２ｃの下面によって係止される。この結果、フック部３２ｃは、ポップアップバネ２４の付勢力に抗して発光ユニット２１の位置変動を抑止する。また、斜行部２８ｈは、バネ２９の付勢力に応じてフック部３２ｃからの反力を受けて、本体側固定部材へ向かう押し付け力（押圧力）を付与される。
【００８０】
以上のように、この撮像装置１によれば、発光ユニット２１が収容位置ＰＧ１０に存在する状態においては、フック部３２ｃは、係止位置に固定的に保持され、スライド部材２８に設けられた斜行部２８ｈを係止する。具体的には、スライド部材２８に設けられた斜行部（テーパ部）２８ｈは、ロックレバー３２のフック部３２ｃの係止面（接触面）の下側に配置されて係止される。これにより、フック部３２ｃは、ポップアップバネ２４の付勢力に抗して発光ユニット２１の位置変動を抑止する。また、フック部３２ｃは、バネ２９の付勢力に応じた反力を斜行部２８ｈに向けて作用させ、本体側固定部材へ向かう押圧力を斜行部２８ｈに付与する。換言すれば、斜行部２８ｈは、バネ２９による付勢力に応じてフック部３２ｃからの反力を受け、本体側固定部材へ向かう押圧力を付与される。これにより、発光ユニット２１が本体側固定部材に接触した状態を維持することができる。
【００８１】
特に、位置誤差等に起因して発光ユニット２１に「浮き」が生じ得る場合であっても、発光ユニット２１が収容位置ＰＧ１０へと移動する直前において、斜行部２８ｈは、バネ２９の付勢力によるスライド移動に応じて装置背面側へ移動する。そして、フック部３２ｃの先端部の下側に配置された斜行部２８ｈは、バネ２９の付勢力によるスライド移動に応じて、係止位置に固定的に保持されたフック部３２ｃに接触しつつ当該フック部３２ｃからの反力を受けて下方にも移動する。この結果、発光ユニット２１がベース部材２５に対して所定位置で接触（密着）する。
【００８２】
このような構成によれば、バネ２９による付勢力を伴ったスライド部材２８の移動動作によって、発光ユニット２１と本体側固定部との位置誤差が吸収される。したがって、微妙な調整動作を要することなく、発光ユニット２１の収容時における「浮き」を回避することが可能である。すなわち、収容状態における発光ユニットの本体側固定部材に対する「浮き」をより簡易に防止することが可能である。
【００８３】
＜４．その他＞
以上、この発明の実施の形態について説明したが、この発明は上記説明した内容のものに限定されるものではない。
【００８４】
たとえば、上記実施形態においては、バネ２４，２９，３６によって付勢力が付与されている場合を例示しているが、これに限定されず、他の弾性手段等によって同様の付勢力が付与されてもよい。
【００８５】
また、上記実施形態においては、スライド部材２８の斜行部２８ｈが下方斜め背面側に傾斜する場合を例示したが、これに限定されない。例えば、スライド部材２８の斜行部２８ｈが下方斜め前方側に傾斜するようにしてもよい。なお、この場合には、例えば、コイルバネ２９による付勢力の向き、およびロックレバー３２の向き等をも全て逆に配置するようにすればよい。
【符号の説明】
【００８６】
１  撮像装置
２０  フラッシュ機構
２１  発光ユニット
２１Ｔ  トップカバー
２１ｆ  フラッシュ発光部
２２  ストロボケース
２３  補助アーム部
２４，２９，３６  バネ
２５  ベース部材
２８  スライド部材
２８ｈ  斜行部
３２  ロックレバー
３２ｃ  フック部
ＰＧ１０  収容位置
ＰＧ２０  発光位置
【図１】
2010266590.tif 000003
【図２】
2010266590.tif 000004
【図３】
2010266590.tif 000005
【図４】
2010266590.tif 000006
【図５】
2010266590.tif 000007
【図６】
2010266590.tif 000008
【図７】
2010266590.tif 000009
【図８】
2010266590.tif 000010
【図９】
2010266590.tif 000011
【図１０】
2010266590.tif 000012
【図１１】
2010266590.tif 000013
【図１２】
2010266590.tif 000014
【図１３】
2010266590.tif 000015
【図１４】
2010266590.tif 000016
【図１５】
2010266590.tif 000017
【図１６】
2010266590.tif 000018
【図１７】
2010266590.tif 000019
【図１８】
2010266590.tif 000020
【図１９】
2010266590.tif 000021
【図２０】
2010266590.tif 000022
【図２１】
2010266590.tif 000023
【図２２】
2010266590.tif 000024
【図２３】
2010266590.tif 000025